【手続補正書】
【提出日】平成16年4月19日(2004.4.19)
【手続補正１】
【補正対象書類名】明細書
【補正対象項目名】発明の名称
【補正方法】変更
【補正の内容】
【発明の名称】電池収容装置及び電子機器
【手続補正２】
【補正対象書類名】明細書
【補正対象項目名】特許請求の範囲
【補正方法】変更
【補正の内容】
【特許請求の範囲】
【請求項１】
互いに外周形状の異なる第１の電池と第２の電池とを選択的に収容するための電池収容装置であって、
前記各電池を電極軸方向に挿入する挿入口を有し、前記第１の電池の外周形状に略対応する内周形状を有する収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記収容ボックス部により、当該収容ボックス部の第１の内壁面より略直立した状態から当該第１の内壁面に沿って折り畳んだ状態まで回転可能に保持される仕切り部材と、を有し、
前記第２の電池が収容されるとき、前記仕切り部材は、前記収容ボックス部の内壁面より略直立した状態で前記収容ボックス部の内壁面と前記第２の電池の間に位置し、
前記第１の電池が収容されるとき、前記仕切り部材は、前記収容ボックス部の内壁面に沿って折り畳まれた状態で前記収容ボックス部の内壁面と前記第２の電池の間に位置することを特徴とする電池収容装置。
【請求項２】
互いに外周形状の異なる第１の電池と第２の電池とを選択的に収容するための電池収容装置であって、
前記各電池を電極軸方向に挿入する挿入口を有し、前記第１の電池の外周形状に略対応する内周形状を有する筒状に形成された収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記各電池の挿入方向と略直交する平面上で、前記収容ボックス部の第１の内壁面とこの第１の内壁面に臨む前記第２の電池の外周面との間に形成される間隙部に略対応する形状を有する１つ又は複数の仕切り部材と、
前記仕切り部材を、前記収容ボックス部の第１の内壁面より略直立した状態から前記収容ボックス部の第１の内壁面に沿って折り畳んだ状態まで回転可能に支持する支持機構と、
前記支持機構によって支持された仕切り部材を前記収容ボックス部の第１の内壁面より略直立した状態となる方向に付勢する付勢部材とを有し、
前記第１の電池を収容ボックス部に挿入することにより、仕切り部材を前記収容ボックス部の第１の内壁面に沿って折り畳んだ状態として第１の電池を収容ボックス部内に位置決め配置し、
前記第２の電池を収容ボックス部に挿入することにより、仕切り部材を前記収容ボックス部の第１の内壁面より略直立した状態として第２の電池を収容ボックス部内に位置決め配置するようにした、ことを特徴とする電池収容装置。
【請求項３】
前記支持機構は、前記仕切り部材の基端部を支持する枢軸を含むヒンジ機構であり、前記付勢部材は、前記枢軸に装着され、前記仕切り部材と収容ボックス部との間に掛け渡された捩りコイルバネであることを特徴とする請求項２記載の電池収容装置。
【請求項４】
前記第１の電池が略直方体状の外周形状を有する電池であるとともに、前記第２の電池が略円柱状の外周形状を有する電池であり、
前記収容ボックス部は、１本の第１の電池の外周形状に対応する内周形状を有するとともに、２本の第２の電池を平行に配置して収容するスペースを有し、
前記仕切り部材は、平行に配置された２本の第２の電池の外周形状に対応する２つの円弧部を有し、前記各円弧部によって２本の第２の電池を位置決めすることを特徴とする請求項２記載の電池収容装置。
【請求項５】
前記第１の電池は、２次電池であることを特徴とする請求項４記載の電池収容装置。
【請求項６】
前記第２の電池は、単３型電池であることを特徴とする請求項４記載の電池収容装置。
【請求項７】
前記第２の電池は、楕円形の外周形状を有する電池であることを特徴とする請求項４記載の電池収容装置。
【請求項８】
前記収容ボックス部の前記仕切り部材と反対側の内壁には、各電池の挿入をガイドする突起部を有することを特徴とする請求項４記載の電池収容装置。
【請求項９】
前記仕切り部材は、前記２本の第２の電池を互いに離間した状態で位置決めすることを特徴とする請求項４記載の電池収容装置。
【請求項１０】
前記収容ボックス部に設けた電極部は、前記第１の電池と前記第２の電池とで共通に設けられていることを特徴とする請求項４記載の電池収容装置。
【請求項１１】
前記収容ボックス部に設けた電極部は、前記第１の電池と前記第２の電池とで別々に設けられていることを特徴とする請求項４記載の電池収容装置。
【請求項１２】
前記収容ボックス部に設けた電極部のうち、前記第１の電池に対する電極部は、前記第２の電池を収容ボックス部に収容した状態で、当該第２の電池との接触を避ける位置に配置されていることを特徴とする請求項１１記載の電池収容装置。
【請求項１３】
前記電池蓋は、その閉蓋状態をロックするロック機構を有することを特徴とする請求項４記載の電池収容装置。
【請求項１４】
電池を電源として駆動し、前記電池を収納する電池収容装置を有する電子機器において、
前記電池収容装置は、互いに外周形状の異なる第１の電池と第２の電池とを選択的に収容可能であるとともに、
前記各電池を電極軸方向に挿入する挿入口を有し、前記第１の電池の外周形状に略対応する内周形状を有する収容ボックス部と、
前記収容ボックス部の挿入口を閉蓋する電池蓋と、
前記収容ボックス部の前記電池蓋と対向する内壁部に設けられ、前記各電池の電極部と接触する電極部と、
前記収容ボックス部により、当該収容ボックス部の第１の内壁面より略直立した状態から当該第１の内壁面に沿って折り畳んだ状態まで回転可能に保持される仕切り部材と、を有し、
前記第２の電池が収容されるとき、前記仕切り部材は、前記収容ボックス部の内壁面より略直立した状態で前記収容ボックス部の内壁面と前記第２の電池の間に位置し、
前記第１の電池が収容されるとき、前記仕切り部材は、前記収容ボックス部の内壁面に沿って折り畳まれた状態で前記収容ボックス部の内壁面と前記第２の電池の間に位置することを特徴とする電子機器。
【手続補正３】
【補正対象書類名】明細書
【補正対象項目名】０００１
【補正方法】変更
【補正の内容】
【０００１】
【発明の属する技術分野】
本発明は、各種電子機器に設けられる電池収容部において、互いに外周形状の異なる第１の電池と第２の電池とを選択的に収容するための電池収容装置及び、この電池収容装置を備えた電子機器に関するものである。


【手続補正４】
【補正対象書類名】明細書
【補正対象項目名】０００７
【補正方法】変更
【補正の内容】
【０００７】
しかしながら、上述のように１本の単３型乾電池と１枚の平板型２次電池とを併用する場合には、図７に示すような構造を用いることができるが、例えば２本の単３型乾電池とそれより大きい角型２次電池とを併用するような場合には、図７に示すような構造を用いることができないという問題があった。
そこで、本発明の目的は、互いに外周形状の異なる電池を容易に収容することができる電池収容装置及び、この電池収容装置を備えた電子機器を提供することにある。


【手続補正５】
【補正対象書類名】明細書
【補正対象項目名】０００８
【補正方法】変更
【補正の内容】
【０００８】
【課題を解決するための手段】
前記目的を達成するため、本発明の電池収容装置は、互いに外周形状の異なる第１の電池と第２の電池とを選択的に収容するための電池収容装置であって、各電池を電極軸方向に挿入する挿入口を有し、第１の電池の外周形状に略対応する内周形状を有する収容ボックス部と、この収容ボックス部の挿入口を閉蓋する電池蓋と、収容ボックス部の電池蓋と対向する内壁部に設けられ、各電池の電極部と接触する電極部と、収容ボックス部により、その収容ボックス部の第１の内壁面より略直立した状態からその第１の内壁面に沿って折り畳んだ状態まで回転可能に保持される仕切り部材と、を有し、第２の電池が収容されるとき、仕切り部材は、収容ボックス部の内壁面より略直立した状態で収容ボックス部の内壁面と第２の電池の間に位置し、第１の電池が収容されるとき、仕切り部材は、収容ボックス部の内壁面に沿って折り畳まれた状態で収容ボックス部の内壁面と第２の電池の間に位置することを特徴とする。
また、本発明の電池収容装置は、互いに外周形状の異なる第１の電池と第２の電池とを選択的に収容するための電池収容装置であって、各電池を電極軸方向に挿入する挿入口を有し、第１の電池の外周形状に略対応する内周形状を有する筒状に形成された収容ボックス部と、この収容ボックス部の挿入口を閉蓋する電池蓋と、収容ボックス部の電池蓋と対向する内壁部に設けられ、各電池の電極部と接触する電極部と、各電池の挿入方向と略直交する平面上で、収容ボックス部の第１の内壁面とこの第１の内壁面に臨む第２の電池の外周面との間に形成される間隙部に略対応する形状を有する１つ又は複数の仕切り部材と、仕切り部材を、収容ボックス部の第１の内壁面より略直立した状態から収容ボックス部の第１の内壁面に沿って折り畳んだ状態まで回転可能に支持する支持機構と、この支持機構によって支持された仕切り部材を収容ボックス部の第１の内壁面より略直立した状態となる方向に付勢する付勢部材とを有し、第１の電池を収容ボックス部に挿入することにより、仕切り部材を収容ボックス部の第１の内壁面に沿って折り畳んだ状態として第１の電池を収容ボックス部内に位置決め配置し、第２の電池を収容ボックス部に挿入することにより、仕切り部材を収容ボックス部の第１の内壁面より略直立した状態として第２の電池を収容ボックス部内に位置決め配置するようにしたことを特徴とする。
更にまた、本発明の電子機器は、電池を電源として駆動し、電池を収納する電池収容装置を有する電子機器において、電池収容装置は、互いに外周形状の異なる第１の電池と第２の電池とを選択的に収容可能であるとともに、各電池を電極軸方向に挿入する挿入口を有し、第１の電池の外周形状に略対応する内周形状を有する収容ボックス部と、この収容ボックス部の挿入口を閉蓋する電池蓋と、収容ボックス部の電池蓋と対向する内壁部に設けられ、各電池の電極部と接触する電極部と、収容ボックス部により、この収容ボックス部の第１の内壁面より略直立した状態から第１の内壁面に沿って折り畳んだ状態まで回転可能に保持される仕切り部材と、を有し、第２の電池が収容されるとき、仕切り部材は、収容ボックス部の内壁面より略直立した状態で収容ボックス部の内壁面と第２の電池の間に位置し、第１の電池が収容されるとき、仕切り部材は、収容ボックス部の内壁面に沿って折り畳まれた状態で収容ボックス部の内壁面と第２の電池の間に位置することを特徴とする。
【手続補正６】
【補正対象書類名】明細書
【補正対象項目名】０００９
【補正方法】変更
【補正の内容】
【０００９】
本発明の電池収容装置では、第１の電池を収容ボックス部に挿入すると、仕切り部材は、第１の電池の先端部に押され、付勢部材の力に抗して支持機構を介して回転し、収容ボックス部の内周面に沿って折り畳んだ状態となる。
これにより、第１の電池全体が収容ボックス部に収容でき、また、第１の電池の電極部が収容ボックス部内の電極部に接触する。この状態で、収容ボックス部を電池蓋で閉蓋し、第１の電池を収容ボックス部内部に位置決め配置する。
また、第１の電池を収容ボックス部より抜き取る場合には、電池蓋を開放することにより、容易に抜き取ることができる。この際、折り畳まれた仕切り部材が付勢部材の力によって復帰することにより、第１の電池を押し出す方向に作用し、スムーズに抜き取ることができる。


【手続補正７】
【補正対象書類名】明細書
【補正対象項目名】００１１
【補正方法】変更
【補正の内容】
【００１１】
【発明の実施の形態】
以下、本発明による電池収容装置及び、この電池収容装置を備えた電子機器の実施の形態について説明する。
図１は、本発明による電池収容装置を適用した電池収容部の構成例を示す分解斜視図である。また、図２（Ａ）（Ｂ）は、図１に示す電池収容部に角型２次電池（第１の電池）を収容した状態を示す正断面図及び側断面図である。
また、図３（Ａ）（Ｂ）は、図１に示す電池収容部に単３型電池（第２の電池）を収容した状態を示す正断面図及び側断面図である。さらに、図４（Ａ）（Ｂ）は、図１に示す電池収容部に単３型電池を収容する際の位置決め作用を示す正断面図である。


【手続補正８】
【補正対象書類名】明細書
【補正対象項目名】００２９
【補正方法】変更
【補正の内容】
【００２９】
図５は、上述した電池収容装置を適用した電子機器の一例としての携帯型ビデオカメラ装置の構成例を示す斜視図である。
本例のビデオカメラ装置は、カートリッジ１００をカメラ本体２００の本体ケース２００Ａに設けた収容部２１０に挿着して、カメラ本体２００で撮影したビデオ信号をカートリッジ１００内のビデオテープに記録するようにしたものである。
カートリッジ１００は、矩形筐体に形成されており、収容部２１０は、カートリッジ１００の外周形状に対応する形状に形成されている。また、収容部２１０は、本体ケース２００Ａの一側部に開口しており、この開口部２１０Ａよりカートリッジ１００を挿入するようになっている。


【手続補正９】
【補正対象書類名】明細書
【補正対象項目名】００３５
【補正方法】変更
【補正の内容】
【００３５】
なお、本発明の電池収容装置は、上述のようなビデオカメラ装置に限らず、ヘッドホンステレオやＣＤプレーヤ等のように、他の各種携帯型電子機器の電池収容部に広く適用し得るものである。
また、以上の例では、長さの等しい電池３０、３２を収容する例について説明したが、長さの異なる電池を収容する場合には、電池ボックス部側の電極部を電池の長さ方向に変位可能に配置した電極板上に設け、この電極板を圧縮コイルスプリング等の伸縮バネ部材によって付勢することにより、電池ボックス部に収容された電池の長さに応じて電極部が変位できるようにし、電池の長さに対応させるようにしてもよい。


【手続補正１０】
【補正対象書類名】明細書
【補正対象項目名】００３８
【補正方法】変更
【補正の内容】
【００３８】
【発明の効果】
以上説明したように本発明の電池収容装置及び電子機器では、収容ボックス部に収容される第１の電池と第２の電池の外周形状の差を補間するための仕切り部材を設け、第１の電池を収容する場合と、第２の電池を収容する場合とで、仕切り部材が回転して変位することにより、第１の電池と第２の電池のいずれに対しても位置決め保持できるようにした。
このため、異なる外周形状の電池を共通の電池収容部に容易に収容することができ、従来のようなアダプタも不要となる。よって、電池収容部の小型化と利便性を向上できる。


【手続補正１１】
【補正対象書類名】明細書
【補正対象項目名】図面の簡単な説明
【補正方法】変更
【補正の内容】
【図面の簡単な説明】
【図１】本発明による電池収容装置を適用した電池収容部の構成例を示す分解斜視図である。
【図２】図１に示す電池収容部に角型２次電池（第１の電池）を収容した状態を示す図であり、（Ａ）は正断面図、（Ｂ）は側断面図である。
【図３】図１に示す電池収容部に単３型電池（第２の電池）を収容した状態を示す図であり、（Ａ）は正断面図、（Ｂ）は側断面図である。
【図４】図１に示す電池収容部に単３型電池を収容する際の位置決め作用を示す正断面図である。
【図５】図１に示す電池収容部を利用した携帯型ビデオカメラ装置の構成例を示す斜視図である。
【図６】従来の電池収容部の一例を示す斜視図である。
【図７】従来の電池収容部の他の例を示す図であり、（Ａ）は斜視図、（Ｂ）は平板型２次電池を収容した状態を示す要部正面図、（Ｃ）は単３型乾電池を収容した状態を示す要部正面図である。